(57)【要約】【課題】  半田を保持したままの状態で固定でき、半田こてのこて先の酸化を防止できて劣化を防げ、半田こてを用いた検討の効率化を図れ、半田こての耐久性を良くでき、使用時にはこて先がきれいな状態で使用使用効率を向上できる。【解決手段】  電熱器等の加熱手段で加熱された液体状の半田３が満たされた容器４内に半田こて７の先端を入れてこて先７ａが液体状の半田３に浸されてこて先７ａが保温された状態になるようにし、容器４の上部にフラックス付き金属たわし６が配置され、更に、半田こて７のこて先７ａを容器４内の液体状の半田３に浸して保持するためのこて台２が容器４の近傍に配置されており、容器４内にこて先７ａが浸された状態から半田こて７を引き抜く際にフラックス付き金属たわし６によって半田こて７のこて先７ａの半田３を取り除くようにした。【選択図】  図２
2007196243.tif 000002
【特許請求の範囲】
【請求項１】
電熱器等の加熱手段で加熱された液体状の半田が満たされた容器内に半田こての先端を入れてこて先が前記液体状の半田に浸されてこて先が保温された状態になるようにしたこて先保護用半田保温機において、前記容器の上部にフラックス付き金属たわしが配置され、更に、前記半田こてのこて先を前記容器内の液体状の半田に浸して保持するためのこて台が前記容器の近傍に配置されており、前記容器内にこて先が浸された状態から前記半田こてを引き抜く際に前記フラックス付き金属たわしによって前記半田こてのこて先の半田を取り除くようにしたことを特徴とするこて先保護用半田保温機。
【請求項２】
電熱器等の加熱手段で加熱された液体状の半田が満たされた容器内に半田こての先端を入れてこて先が前記液体状の半田に浸されてこて先が保温された状態になるようにしたこて先保護用半田保温機において、前記容器の上部にフラックス付き金属線状体が配置され、更に前記半田こてのこて先を前記容器内の液体状の半田に浸して保持するためのこて台が前記容器の近傍に配置されており、前記容器内にこて先が浸された状態から前記半田こてを引き抜く際に前記フラックス付き金属線状体によって前記半田こてのこて先の半田を取り除くようにしたことを特徴とするこて先保護用半田保温機。
【請求項３】
前記フラックス付き金属線状体は、前記容器の上部に配置された筒状体から内側に向けて突出されたフラックス付き金属ブラシからなる請求項２に記載のこて先保護用半田保温機。
【請求項４】
前記こて台は、板状基台の上面に立設された支持脚とこの支持脚の上部に設けられたＵ字状保持部からなり、前記板状基台の上面における前記こて台の近傍に前記容器が配置されている請求項２又は３に記載のこて先保護用半田保温機。
【発明の詳細な説明】
【技術分野】
【０００１】
本発明は、電熱器等の加熱手段で加熱された液体状の半田が満たされた容器内に半田こての先端を入れてこて先が前記液体状の半田に浸されてこて先が保温された状態になるようにしたこて先保護用半田保温機に関するものである。
【背景技術】
【０００２】
近来、環境的に良くない鉛を無くしていく所謂鉛フリー化によって、この鉛の少ない半田をのせるための半田こての温度を高くしなければならないようになってきている。このために、半田こての消耗スピードが増してきており、半田こての酸化が進み、半田こてに半田が乗りにくくなり、半田こての交換時期を早めている。このための対策として、半田こてを使用しないときにこて先に半田をのせておき、半田こての酸化を防ぐようにしている。従来は、図５に示すように、加熱されて液体状になった半田Ｈを容器１０１内に満たし、半田こてＡのこて先をこの容器１０１内の半田Ｈに浸しておくようなこて先保護用保温機１０２が使用されている。
【０００３】
ところが、検討時などは片手に部品を持っているために、半田こてＡのこて先にのっている半田Ｈを取り除くことが難しく、また、新しく半田Ｈを半田こてＡのこて先にのせることが困難であるという問題があった。
【０００４】
第１の従来技術を図６（ａ）（ｂ）に示す。この従来のはんだ鏝スタンドは、図６（ａ）（ｂ）に示すように、はんだ鏝Ａを保持させておくための鏝保持部２０２と、はんだ鏝の鏝先Ｂを浄化するための鏝先浄化部２０３とを有し、該鏝先浄化部２０３が、スポンジ体からなる第１浄化部材２３１と、硬質線条をランダムに積層化又は集合化してなるパッド状の第２浄化部材２３２とを有していて、上記第１浄化部材２３１には、鏝先Ｂを挿入可能な大きさの浄化用孔２３６が上下方向に貫通して形成され、上記両浄化部材２３１、２３２の下部に液溜室２３３を有する。（例えば、特許文献１参照）。
【０００５】
ところが、これにおいては、半田鏝Ａを置くときには、鏝挿入部２２２に挿入しておき、この半田鏝Ａを使用するときに、半田鏝Ａを鏝挿入部２２２から抜いて浄化用孔２３６に挿入するようになっており、半田鏝Ａの鏝先の酸化防止に効果がなく、また、２度手間であるという問題があった。
【０００６】
第２の従来技術を図７、図８（ａ）（ｂ）に示す。この従来のはんだこて台は、図７、図８（ａ）（ｂ）に示すように、はんだこてクリーナ３０２は、耐熱性を有するブラシ毛３２０ａの端部をブラシホルダで固定して幅方向に延ばした断面略扇形状のクリーニングブラシを少なくとも一組対向させて断面コ字状の支持台３０２ａ上に配置し、ブラシ押え３０２ｂでブラシホルダを押えて固定ねじで支持台３０２ａに固定して形成する。ブラシ先３２０Ａが対向するブラシ対向部３１０が谷型状断面を有するようにし、ブラシ対向部３１０の近傍の支持台３０２ａに溝孔を設け、支持台３０２ａの下方を清掃くずやこて先の逃げ空間とする。はんだこて台ははんだこてクリーナ３０２を箱状のクリーナ収納部に配置した構成とする。（例えば、特許文献２参照）。
【０００７】
ところが、これにおいては、はんだこてをはんだこてホルダ３０４に挿入しておき、使用時にこのはんだこてホルダ３０４から抜いてはんだこてクリーナ３０２のブラシ毛３２０ａではんだこてのこて先をきれいにしていた。このために、はんだこての酸化防止に効果がなく、また、２度手間であるという問題があった。
【０００８】
第３の従来技術を図９に示す。この従来の半田用スタンドは、図９に示すように、半田鏝４１６を載置具４１７に挿入し、半田鏝４１６の鏝先を回転する上下のブラシ層４０４、４０５の間に位置させて半田鏝４１６の鏝先の半田を取り除くようにしている。（例えば、特許文献３参照）。
【０００９】
ところが、これにおいては、半田鏝４１６を置いているときに鏝先に半田が付いていないために、半田鏝４１６の酸化防止に効果がないという問題があった。
【特許文献１】特開２００５−２０５４２６号公報
【特許文献２】特開２００５−１１１４９６号公報
【特許文献３】平１−１５１９６８号公報
【発明の開示】
【発明が解決しようとする課題】
【００１０】
本発明は、上記従来の問題に鑑みてなされたものであって、半田を保持したままの状態で固定でき、しかも半田こてのこて先の酸化を防止できて劣化を防ぐことができ、半田こてを用いた検討の効率化を図れ、半田こての耐久性を良くでき、使用時にはこて先がきれいな状態で使用することができて使用効率を向上できるこて先保護用半田保温機を提供することを目的としている。
【課題を解決するための手段】
【００１１】
本発明は、上記課題を解決するために提案されたものであって、請求項１に記載の発明は、電熱器等の加熱手段で加熱された液体状の半田が満たされた容器内に半田こての先端を入れてこて先が前記液体状の半田に浸されてこて先が保温された状態になるようにしたこて先保護用半田保温機において、前記容器の上部にフラックス付き金属たわしが配置され、更に、前記半田こてのこて先を前記容器内の液体状の半田に浸して保持するためのこて台が前記容器の近傍に配置されており、前記容器内にこて先が浸された状態から前記半田こてを引き抜く際に前記フラックス付き金属たわしによって前記半田こてのこて先の半田を取り除くようにしたことを特徴としている。
【００１２】
請求項２に記載の発明は、電熱器等の加熱手段で加熱された液体状の半田が満たされた容器内に半田こての先端を入れてこて先が前記液体状の半田に浸されてこて先が保温された状態になるようにしたこて先保護用半田保温機において、前記容器の上部にフラックス付き金属線状体が配置され、更に前記半田こてのこて先を前記容器内の液体状の半田に浸して保持するためのこて台が前記容器の近傍に配置されており、前記容器内にこて先が浸された状態から前記半田こてを引き抜く際に前記フラックス付き金属線状体によって前記半田こてのこて先の半田を取り除くようにしたことを特徴としている。
【００１３】
請求項３に記載の発明は、請求項２に記載の発明において、前記フラックス付き金属線状体は、前記容器の上部に配置された筒状体から内側に向けて突出されたフラックス付き金属ブラシからなるものである。
【００１４】
請求項４に記載の発明は、請求項２又は３に記載の発明において、前記こて台は、板状基台の上面に立設された支持脚とこの支持脚の上部に設けられたＵ字状保持部からなり、前記板状基台の上面における前記こて台の近傍に前記容器が配置されている。
【発明の効果】
【００１５】
請求項１に記載の発明によれば、こて台によって半田こてを保持した状態でこて先を容器内の液体状の半田に浸しておけるから、こて先の酸化を防止することができ、半田こての耐久性を良くすることができる。更に、半田こてを引き抜く際にこて先に付いている半田をフラックス付き金属たわしで取り除いて半田こてを使用できるから、こて先がきれいな状態で使用でき、使用効率を向上させることができる。
【００１６】
請求項２に記載の発明によれば、こて台によって半田こてを保持した状態でこて先を容器内の液体状の半田に浸しておけるから、こて先の酸化を防止することができ、半田こての耐久性を良くすることができる。更に、半田こてを引き抜く際にこて先に付いている半田をフラックス付き金属線状体で取り除いて半田こてを使用できるから、こて先がきれいな状態で使用でき、使用効率を向上させることができる。
【００１７】
請求項３に記載の発明によれば、フラックス付き金属線状体がフラックス付き金属ブラシからなるものであるから、このフラックス付き金属ブラシで半田こてのこて先の半田を取り除いて半田こてをきれいな状態で使用することができる。
【００１８】
請求項４に記載の発明によれば、こて台が板状基台の上面に立設された支持脚とこの支持脚の上部に設けられたＵ字状保持部からなるものであるから、構造が簡単であり、しかも半田こてを安定した状態で保持できる。また、板状基台を持って移動することができるので、簡単に持ち運びすることができる。
【発明を実施するための最良の形態】
【００１９】
以下、本発明に係るこて先保護用保温機の実施の形態について、図を参照しつつ説明する。
【００２０】
図１は第１実施形態のこて先保護用保温機における半田こてのこて先を半田に浸している状態の斜視図、図２は半田こてのこて先を引き抜いているときの状態を示す斜視図である。
【００２１】
この第１実施形態のこて先保護用保温機は、図１に示すように、板状基台１の上面にこて台２が設けられ、このこて台２は左右一対の支持脚２ａ、２ａと、これら支持脚２ａ、２ａの上部に設けられたU字状保持部２ｂとから構成されている、板状基台１の上面におけるこて台２の近傍に液体状の半田３が満たされた容器４が配置されている。この容器４の上部には、筒状体５が配置され、この筒状体５の内側にフラックス付き金属たわし６が配設されている。こて台２には半田こて７が保持され、この半田こて７のこて先７ａが容器４内の液体状の半田３に浸されている。尚、図示しないが、容器４内は電熱器等の加熱手段で加熱されており、半田３が液体状になっている。
【００２２】
図２に示すように、半田こて７を引き抜くときに、こて先７ａに付着している半田３がフラックス付き金属たわし６で取り除かれ、半田こて７の使用時にはこて先７ａがきれいな状態となるようにしている。
【００２３】
この第１実施形態によれば、こて台２によって半田こて７を保持した状態でこて先７ａを容器４内の液体状の半田３に浸しておけるから、こて先７ａの酸化を防止することができ、半田こて７の耐久性を良くすることができる。更に、半田こて７を引き抜く際にこて先７ａに付いている半田３をフラックス付き金属たわし６で取り除いて半田こて７を使用できるから、こて先７ａがきれいな状態で使用でき、使用効率を向上させることができる。また、こて台２が板状基台１の上面に立設された支持脚２ａ、２ａとこれら支持脚２ａ、２ａの上部に設けられたＵ字状保持部２ｂからなるものであるから、構造が簡単であり、しかも半田こて７を安定した状態で保持できる。また、板状基台１を持って移動することができるので、簡単に持ち運びすることができる。
【００２４】
図３は第２実施形態のこて先保護用保温機における半田こてのこて先を半田に浸している状態の斜視図、図４は半田こてのこて先を引き抜いているときの状態を示す斜視図である。尚、上記第１実施形態と同一部材、同一箇所には、同一符号を付してその説明を省略する。
【００２５】
この第２実施形態のこて先保護用保温機は、図３に示すように、容器４の上部に配置された筒状体５Ａから内側に向けてフラックス付き金属ブラシ８が突出されている。図４に示すように、半田こて７を引き抜くときに、こて先７ａに付着している半田３がフラックス付き金属ブラシ８で取り除かれ、半田こて７の使用時にはこて先７ａがきれいな状態となるようにしている。
【００２６】
この第２実施形態によれば、フラックス付き金属ブラシ８で半田こて７のこて先７ａの半田３を取り除いて半田こて７をきれいな状態で使用することができる。
【００２７】
尚、こて台２の形状は上記実施形態のものに限らす、例えば、筒状にして半田こて７を挿入するようにする等、他の形状のものも含むことは勿論である。
【図面の簡単な説明】
【００２８】
【図１】第１実施形態のこて先保護用保温機における半田こてのこて先を半田に浸している状態の斜視図である。
【図２】半田こてのこて先を引き抜いているときの状態を示す斜視図である。
【図３】第２実施形態のこて先保護用保温機における半田こてのこて先を半田に浸している状態の斜視図である。
【図４】半田こてのこて先を引き抜いているときの状態を示す斜視図である。
【図５】従来のこて先保護用保温機における半田こてのこて先を半田に浸している状態の斜視図である。
【図６】従来のはんだ鏝スタンドを示し、（ａ）はその斜視図、（ｂ）はその部分断面図である。
【図７】従来のはんだこて台を示す斜視図である。
【図８】図７に示すはんだこて台のブラシ毛にはんだこてのこて先を挿入しいる状態を示し、（ａ）はその斜視図、（ｂ）はその正面図である。
【図９】従来の半田用スタンドの斜視図である。
【符号の説明】
【００２９】
１      板状基台
２      こて台
２ａ    支持脚
２ｂ    U字状保持部
３      半田
４      容器
５      筒状体
５Ａ    筒状体
６      フラックス付き金属たわし
７      半田こて
７ａ    こて先
８      フラックス付き金属ブラシ
【図８】
2007196243.tif 000003
【図１】
2007196243.tif 000004
【図２】
2007196243.tif 000005
【図３】
2007196243.tif 000006
【図４】
2007196243.tif 000007
【図５】
2007196243.tif 000008
【図６】
2007196243.tif 000009
【図７】
2007196243.tif 000010
【図９】
2007196243.tif 000011